(57)【要約】【課題】簡単な構成で、高い精度で立体視力を検査できる立体視機能検査装置を提供する。【解決手段】筒状部１９の内側を、左右方向の中心に配設した隔壁２３で区画する。筒状部１０の先端の開口部１６に画像表示装置のディスプレイが位置するように画像表示装置を保持部１１によって保持する。ディスプレイの左画面を覗き孔から左眼で見る。また、左画面を覗き孔から左眼で見る。左画面及び右画面には、平行法用の検査画像を表示し、それぞれの検査画像を融蔵したときの一部が立体的に浮き上がって見えるようにする。ディスプレイの１ピクセルと、筒状部の前後方向の長さとに関連を持たせることで、立体視力の精度の高い検査ができる。【選択図】図１
2008086657.tif 000002
【特許請求の範囲】
【請求項１】
立体視力を検査するために被験者の左右の眼に異なる画像を提示する画像表示装置を、検査位置に保持する立体視機能検査具において、
先端側に開口部を有し、基端側に接眼部を有する筒状部と、
立体視検査方法に基づく検査画像を表示するディスプレイが前記筒状部の開口部に前記接眼部側を向いて位置するように前記画像表示装置を保持する保持部と、
前記筒状部の開口部に位置する前記ディスプレイを、前記筒状部の内部空間を介して視認するために接眼部に穿設された覗き孔と、を備え、
前記筒状部は、前記ディスプレイの１ピクセルが、立体視力の測定単位の整数倍に対応するように、前記画像表示装置が前記保持部に保持された状態における前記ディスプレイから前記接眼部までの距離が設定されている、
ことを特徴とする立体視機能検査具。
【請求項２】
前記画像表示装置は、前記ディスプレイの左右方向外側に操作部を有し、
前記保持部は、前記画像表示装置を保持した際に、前記操作部が、前記筒状部の先端側近傍から左右方向に突出するように保持する、
ことを特徴とする請求項１に記載の立体視機能検査具。
【請求項３】
前記接眼部は、被験者が前記接眼部の覗き窓から覗いたときに、鼻がぶつかることを防止する切欠部を有する、
ことを特徴とする請求項１又は２に記載の立体視機能検査具。
【請求項４】
前記筒状部を載置面上で使用する際に、前記載置面に対する前記筒状部の傾斜角度を被験者に応じて適宜に設定するスタンドを有する、
ことを特徴とする請求項１ないし３のいずれか１項に記載の立体視機能検査具。
【請求項５】
前記筒状部を、先端側の部分と基端側の部分とに分割して、それぞれの部分を相互に嵌まり込み可能に形成して、前記画像表示装置の前記ディスプレイから前記接眼部までの距離を調整可能に構成した、
ことを特徴とする請求項１ないし４のいずれか１項に記載の立体視機能検査具。
【請求項６】
前記画像表示装置は、前記ディスプレイ上に、前記検査画像の検査レベルを表示するとともに、
前記筒状部は、前記ディスプレイ上の前記検査レベルが、前記筒状部の外部から見えるように、窓部が形成されている、
ことを特徴とする請求項１ないし５のいずれか１項に記載の立体視機能検査具。
【請求項７】
前記筒状部は、前記ディスプレイ上の左眼が見る画像と右眼が見る画像をと分割するための隔壁を有し、前記ディスプレイに表示される画像が平行法検査用の画像である、
ことを特徴とする請求項１ないし６のいずれか１項に記載の立体視機能検査具。
【請求項８】
前記接眼部は、遠見検査を行うために前記覗き孔に配置するレンズを、着脱自在に支持する支持部を有する、
ことを特徴とする請求項７に記載の立体視機能検査具。
【請求項９】
前記画像表示装置は、前記隔壁によって左右に分割されたそれぞれのディスプレイ上における、前記隔壁からほぼ等しい位置に前記検査レベルを表示する、
ことを特徴とする請求項８に記載の立体視機能検査具。
【請求項１０】
前記画像表示装置は、前記隔壁によって左右に分割されたそれぞれのディスプレイ上に表示する検査画像を、同期させて移動させる、
ことを特徴とする請求項７ないし９のいずれか１項に記載の立体視機能検査具。
【請求項１１】
前記画像表示装置は、前記隔壁によって左右に分割されたそれぞれのディスプレイ上に表示する検査画像を、同一平面上で２次元的に回転運動させる、
ことを特徴とする請求項１０に記載の立体視機能検査具。
【請求項１２】
前記覗き孔の一方に赤色フィルタが、また他方に青色フィルタが取り付けられていて、前記ディスプレイに表示される前記検査画像がアナグリフ方式検査用の画像である、
ことを特徴とする請求項１ないし６のいずれか１項に記載の立体視機能検査具。
【請求項１３】
前記覗き孔に偏光フィルタが取り付けられていて、前記ディスプレイに表示される前記検査画像が偏光メガネ方式検査用の画像である、
ことを特徴とする請求項１ないし６のいずれか１項に記載の立体視機能検査具。
【請求項１４】
立体視力を検査するための立体視機能検査装置において、
立体視力を検査するために被験者の左右の眼に異なる画像を提示するディスプレイを有する画像表示装置と、
前記画像表示装置を保持する立体視機能検査具と、備え、
前記立体視機能検査具が、請求項１ないし１２のいずれか１項に記載の立体視機能検査具である、
ことを特徴とする立体視機能検査装置。
【請求項１５】
コンピュータとしての画像表示装置を、
前記画像表示装置のディスプレイが、立体視力を検査するために被験者の左右の眼に異なる検査画像を提示する表示手段として作用するように機能させる、
ことを特徴とするコンピュータプログラム。
【請求項１６】
画像表示装置を機能させるためのコンピュータプログラムを記載した、前記画像表示装置が読取可能な記録媒体であって、
記載されたコンピュータプログラムが請求項１５に記載のコンピュータプログラムである、
ことを特徴とする記録媒体。
【発明の詳細な説明】
【技術分野】
【０００１】
立体視力を検査するための、立体視機能検査具、立体視機能検査装置、コンピュータプログラム、及び記録媒体に関する。
【背景技術】
【０００２】
両眼視機能のうちで最も高度な機能であるといわれている立体視の有無及び精度を検査するための方法として、ステレオテストが知られている。このテストは、正常な両眼視を有するか否か、特に斜視を発見する目的で行われたり、大型車運転免許の試験に採用されたりしている。
【０００３】
ステレオテストの原理は、左右眼を分離し、定量化された視差を利用してどの程度まで立体的に感じ取れるかを測定するものである。代表的なステレオテストとしては、偏光フィルタにより左右眼を分離するＴｉｔｍｕｓｕ  ｓｔｅｒｅｏ  ｔｅｓｔ（Ｗｉｒｔテスト，ｆｌｙ  ｔｅｓｔ）、赤緑フィルタによって左右眼を分離するＴＮＯ  ｓｔｅｒｅｏ  ｔｅｓｔなどが知られている。
【０００４】
ところが、これらのテストにおいて使用される図形がテストカードに描かれているため、正解の異なる問題を作成するためには、各問題ごとにテストカードを作成しなければならず、さらにテストに際しては、被験者あるいは検査者が、これらのテストカードを手で順次に交換しなければならないといった煩雑さがあった。
【０００５】
これらの問題点を解消するための提案が、例えば特許文献１になされている。このものは、パーソナルコンピュータを使用し、モニタ面に対して前方の飛び出して見えるような３次元物体画像を表示させ、被験者がこの３次元物体画像をつかんだ位置を位置検出手段によって検出することで、被験者の立体視機能が正常か否かを判定するものである。
【特許文献１】特開平９−９８９４９号公報
【発明の開示】
【発明が解決しようとする課題】
【０００６】
しかしながら、上述の特許文献１のものは、パーソナルコンピュータや位置検出手段を使用するため、その装置構成が大掛かりになって、困難であるといった問題があった。さらに、モニタ面から被験者の両眼までの距離を一定に保持するための構成がなく、また開示されている位置検出手段の構成上、精度の高い検査を行うことが困難であるという問題があった。
【０００７】
そこで、本発明は、問題ごとにテストカードを作成したり、テスト時にこれらのカードを順次に交換する必要もなく、しかも携帯性に優れ、さらに精度の高い検査を行うことができる、立体視機能検査具、立体視機能検査装置、コンピュータプログラム、及び記録媒体を提供することを目的とするものである。
【課題を解決するための手段】
【０００８】
請求項１に係る発明は、立体視力を検査するために被験者の左右の眼に異なる画像を提示する画像表示装置を、検査位置に保持する立体視機能検査具に関する。本発明に係る立体視機能検査具は、先端側に開口部を有し、基端側に接眼部を有する筒状部と、立体視検査方法に基づく検査画像を表示するディスプレイが前記筒状部の開口部に前記接眼部側を向いて位置するように前記画像表示装置を保持する保持部と、前記筒状部の開口部に位置する前記ディスプレイを、前記筒状部の内部空間を介して視認するために接眼部に穿設された覗き孔と、を備え、前記筒状部は、前記ディスプレイの１ピクセルが、立体視力の測定単位の整数倍に対応するように、前記画像表示装置が前記保持部に保持された状態における前記ディスプレイから前記接眼部までの距離が設定されている、ことを特徴としている。
【０００９】
請求項２に係る発明は、請求項１に係る立体視機能検査具において、前記画像表示装置は、前記ディスプレイの左右方向外側に操作部を有し、前記保持部は、前記画像表示装置を保持した際に、前記操作部が、前記筒状部の先端側近傍から左右方向に突出するように保持する、ことを特徴としている。
【００１０】
請求項３に係る発明は、請求項１又は２に係る立体視機能検査具において、前記接眼部は、被験者が前記接眼部の覗き窓から覗いたときに、鼻がぶつかることを防止する切欠部を有する、ことを特徴としている。
【００１１】
請求項４に係る発明は、請求項１ないし３のいずれか１項に係る立体視機能検査具において、前記筒状部を載置面上で使用する際に、前記載置面に対する前記筒状部の傾斜角度を被験者に応じて適宜に設定するスタンドを有する、ことを特徴としている。
【００１２】
請求項５に係る発明は、請求項１ないし４のいずれか１項に係る立体視機能検査具において、前記筒状部を、先端側の部分と基端側の部分とに分割して、それぞれの部分を相互に嵌まり込み可能に形成して、前記画像表示装置の前記ディスプレイから前記接眼部までの距離を調整可能に構成した、ことを特徴としている。
【００１３】
請求項６に係る発明は、請求項１ないし５のいずれか１項に係る立体視機能検査具において、前記画像表示装置は、前記ディスプレイ上に、前記検査画像の検査レベルを表示するとともに、前記筒状部は、前記ディスプレイ上の前記検査レベルが、前記筒状部の外部から見えるように、窓部が形成されている、ことを特徴としている。
【００１４】
請求項７に係る発明は、請求項１ないし６のいずれか１項に係る立体視機能検査具において、前記筒状部は、前記ディスプレイ上の左眼が見る画像と右眼が見る画像をと分割するための隔壁を有し、前記ディスプレイに表示される画像が平行法検査用の画像である、ことを特徴としている。
【００１５】
請求項８に係る発明は、請求項７に係る立体視機能検査具において、前記接眼部は、遠見検査を行うために前記覗き孔に配置するレンズを、着脱自在に支持する支持部を有する、ことを特徴としている。
【００１６】
請求項９に係る発明は、請求項８に係る立体視機能検査具において、前記画像表示装置は、前記隔壁によって左右に分割されたそれぞれのディスプレイ上における、前記隔壁からほぼ等しい位置に前記検査レベルを表示する、ことを特徴としている。
【００１７】
請求項１０に係る発明は、請求項７ないし９のいずれか１項に係る立体視機能検査具において、前記画像表示装置は、前記隔壁によって左右に分割されたそれぞれのディスプレイ上に表示する検査画像を、同期させて移動させる、ことを特徴としている。
【００１８】
請求項１１に係る発明は、請求項１０に係る立体視機能検査具において、前記画像表示装置は、前記隔壁によって左右に分割されたそれぞれのディスプレイ上に表示する検査画像を、同一平面上で２次元的に回転運動させる、ことを特徴としている。
【００１９】
請求項１２に係る発明は、請求項１ないし６のいずれか１項に係る立体視機能検査具において、前記覗き孔の一方に赤色フィルタが、また他方に青色フィルタが取り付けられていて、前記ディスプレイに表示される前記検査画像がアナグリフ方式検査用の画像である、ことを特徴としている。
【００２０】
請求項１３に係る発明は、請求項１ないし６のいずれか１項に係る立体視機能検査具において、前記覗き孔に偏光フィルタが取り付けられていて、前記ディスプレイに表示される前記検査画像が偏光メガネ方式検査用の画像である、ことを特徴としている。
【００２１】
請求項１４に係る発明は、立体視力を検査するための立体視機能検査装置に関する。本発明に係る立体視機能検査装置は、立体視力を検査するために被験者の左右の眼に異なる画像を提示するディスプレイを有する画像表示装置と、前記画像表示装置を保持する立体視機能検査具と、備え、前記立体視機能検査具が、請求項１ないし１２のいずれか１項に係る立体視機能検査具である、ことを特徴としている。
【００２２】
請求項１５に係る発明は、コンピュータプログラムに関する。本発明に係るコンピュータプログラムは、コンピュータとしての画像表示装置を、前記画像表示装置のディスプレイが、立体視力を検査するために被験者の左右の眼に異なる検査画像を提示する表示手段として作用するように機能させる、ことを特徴としている。
【００２３】
請求項１６に係る発明は、記録媒体に関する。本発明に係る記録媒体は、画像表示装置を機能させるためのコンピュータプログラムを記載した、前記画像表示装置が読取可能な記録媒体であって、記載されたコンピュータプログラムが請求項１５に係るコンピュータプログラムである、ことを特徴としている。
【発明の効果】
【００２４】
請求項１の発明によると、筒状部は、ディスプレイの１ピクセルが、立体視力の測定単位の整数倍に対応するように、画像表示装置が保持部に保持された状態におけるディスプレイから接眼部までの距離が設定されているので、ディスプレイから被験者までの距離を一定に保持して、高い精度で被験者の両眼視差を測定することができる。ここで、例えば、ディスプレイから接眼部までの距離を４０ｃｍに設定すれば、本発明によって得られた検査データを、従来のステレオテストによって得られた検査データと共通化を図ることができる。なお、本発明においては、画像表示装置として、例えば、ディスプレイを有する携帯型のゲーム機を利用することができる。
【００２５】
請求項２の発明によると、画像表示装置は、保持部に保持された状態において、操作部が筒状部の先端側近傍から左右方向に突出するので、被験者あるいは検査者は、この操作部を利用して、画像表示装置を簡単に操作することができる。
【００２６】
請求項３の発明によると、接眼部に設けた切欠き部によって、被験者の鼻が接眼部にぶつからないようになっているので、ディスプレイから被験者の両眼までの距離を高い精度で確保することができる。
【００２７】
請求項４の発明によると、スタンドにより、載置面に対する筒状部の角度を、被験者に応じて最適に設定することができる。
【００２８】
請求項５の発明によれば、ディスプレイから接眼部までの距離を調整することができるので、この距離をディスプレイのピクセルに応じて、変更することで、簡単に適宜な測定単位を設定することができる。
【００２９】
請求項６の発明によると、ディスプレイ上に表示された検査レベルは、被験者が覗き窓を介して視認することができ、同時に検査者が窓部を介して、筒状部の外部から視認することができる。
【００３０】
請求項７の発明は、立体視機能検査具が、平行法用のものであることを規定している。
【００３１】
請求項８の発明によると、覗き孔にレンズを装着しない状態で、近見検査を行うことができ、一方、覗き孔にレンズを装着することで、遠見検査を行うことができる。
【００３２】
請求項９の発明によると、隔壁で左右の分割されたそれぞれのディスプレイ上の隔壁からほぼ等しい位置に検査レベルが表示されているので、被験者によって２つの検査レベルの見え方に差異がある場合には、被験者の左右眼の少なくとも一方の異常があることがわかる。
【００３３】
請求項１０の発明によると、左右のディスプレイ上のそれぞれの検査画像を同期させて移動させることで、静止している場合と比較して、被験者は左右の検査画像の差異を認識しやすい。
【００３４】
請求項１１の発明によると、左右のディスプレイ上のそれぞれの検査画像の移動が、同一平面上で、かつ２次元的な回転運動であるので、被験者は、左右の検査画像の差異を一層、認識しやすい。
【００３５】
請求項１２の発明は、立体視機能検査具が、アナグリフ方式検査用のものであることを規定している。
【００３６】
請求項１３の発明は、立体視機能検査具が、偏光メガネ方式検査用のものであることを規定している。
【００３７】
請求項１４の発明によると、立体視機能検査装置は、請求項１〜１３の画像表示装置及び立体視機能検査具を組み合わせて構成されているので、請求項１〜１３の立体視機能検査具とほぼ同様の効果を奏することができる。
【００３８】
請求項１５の発明によると、このコンピュータプログラムを使用することにより、画像表示装置のディスプレイが、立体視力を検査するために被験者の左右の眼に異なる画像を提示することができる。
【００３９】
請求項１６の発明は、請求項１５のコンピュータプログラムが記載されている記録媒体を規定するものである。
【発明を実施するための最良の形態】
【００４０】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００４１】
図１〜図１１を参照して、本発明に係る立体視機能検査具１の一例を説明する。なお、本実施形態では、ステレオテストの１つである平行法を行う場合に使用される立体視機能検査具１を説明する。また、画像表示装置２としては、携帯型のゲーム機、例えば、小型のコンピュータとしての機能を有する、ソニーコンピュータエンタテイメントのプレイステーションポータブル（ＰＳＰ：登録商標）を使用することが可能である。ここで、画像表示装置２は、図８に示すように、上下方向に比べて左右方向に長い長方形の板状に形成されていて、左右方向の中央に液晶パネルからなるディスプレイ３が配設されていて、このディスプレイ３の左側には、被験者あるいは検査者が左手で操作する操作ボタン４が配置され、また右側には右手で操作する操作ボタン５が配置されている。ディスプレイ３に表示される検査画像は、後述するように、立体視機能検査装置２の記憶装置に格納されたプログラム、（コンピュータプログラム）又は記録媒体としてのカードに記載されたプログラムに基づいて表示されるようになっている。
【００４２】
図１〜図１１のうち、図１〜図７は、それぞれ立体視機能検査具１を示しており、このうち図１は基端側の左斜め上方から見た斜視図である。図２は左側面図、図３は上面図、図４は下面図、図５は先端側から見た図、図６は基端側から見た図、図７は保持部１１を展開した状態を示す斜視図である。また、図８は、画像表示装置の構成を説明する正面図である。図９はディスプレイ上の検査画像の一例を説明する図である。図１０はディスプレイ上の検査画像の他の例を説明する図である。
【００４３】
これらの図に示すように、立体視機能検査具１は、筒状部１０と保持部１１とを有している。筒状部１０は、上側壁１２、下側壁１３、左側壁１４、右側壁１５を有する角筒状に構成されている。筒状部１０の上下方向の寸法は、上述の画像表示装置２の上下方向の寸法よりも少し大きく、左右方向の寸法は被験者の平均的な顔幅とほぼ同じに設定され、また、前後方向の寸法は４０ｃｍに設定されている。なお、この４０ｃｍという数値については、後に説明する。
【００４４】
筒状部１０は、先端側に開口部１６を有し、基端側には接眼壁１９（接眼部）を有している。の開口部１６には、後に説明するように、画像表示装置２のディスプレイ３が対応するようになっている。左側壁及び右側壁のそれぞれの先端における上下方向の中間には、ほぼ長方形状の窓部１７，１８が形成されている。この窓部１７，１８は、後述するように、ディスプレイ３上に表示された、検査レベルの表示（数字Ａ）を、検査者が筒状部の外側（外部）から見られるようにするためのものである。筒状部１０の基端側に配置された接眼壁１９は、板状の部材によって形成されていて、筒状部１０の基端部をほぼ閉塞するように配設されている。接眼壁１９には、この接眼壁１９を左右に２等分する上下方向の中心線Ｃを基準に左右に振り分けるようにして、２個の覗き孔２０，２１が穿設されている。これら覗き孔２０，２１の中心間の距離は、平均的な被験者の左右の両眼間の距離と同じに設定されている。なお、覗き孔２０，２１は、大きめに穿設されていて、両眼間の距離が狭い人や、逆に広い人にも十分対応することができるようになっている。後述するように、被験者はこの覗き孔２０，２１に両眼を当てて、筒状部１０の先端部に配置された画像表示装置２のディスプレイ３を、筒状部１０の内部空間を介して覗くようになる。接眼壁１９の左右方向の中心における下部には、切欠２２が形成されている。この切欠２２は、被験者が顔面を接眼壁１９に当てて、覗き孔２０，２１を覗き込む際に、被験者の鼻が当たらないようにするためのものである。これにより、ディスプレイ３から被験者の両眼までの距離を、ディスプレイ３から接眼壁１９までの距離とほぼ同じにして、距離の精度を高めることができる。
【００４５】
本実施形態では、立体視機能検査具１は、平行法用で使用するものであるので、筒状部１０の内部に隔壁２３が設けてある。隔壁２３は、左眼が見るディスプレイ３上の画面と、右眼が見るディスプレイ３上の画面とを分けるものであり、筒状部１０の上側壁１２の左右方向の中心と下側壁１３の左右方向の中心とを結ぶようにして、前後方向のほぼ全長にわたって形成されている。隔壁２３は、先端側においては、上述の左側壁１４及び右側壁１５の先端縁と一致する。一方、隔壁２３は、基端側においてはほぼ接眼壁１９の内面にいたるように形成されている。ただし、上述の切欠２２に対応する部分には、切欠２４が設けられていて、被験者の鼻との干渉を回避するようになっている。
【００４６】
保持部１１は、上述の筒状部１０の先端側に配設されている。保持部１０は、上述の画像表示装置２に対応した、上下方向に比べて左右方向が長いほぼ長方形状に形成されている。保持部１１は、左右に長い長方形状の底面２５と、この底面２５の４辺を基端側に９０度折曲するようにして形成された土手部２６，２７，２８，２９とを有している。底面２５の上下方向の寸法及び左右方向の寸法は、それぞれ画像表示装置２の上下方向の寸法及び左右方向の寸法よりも僅かに大きくなるように設定されている。また土手部２６〜２９の高さは、画像表示装置２の厚さのほぼ半分に設定されている。つまり、保持部１１は、底面２５及び４つの土手部２６〜２９により、画像表示装置２全体のうちのほぼ半分がすっぽりと嵌まり込むようになっている。保持部１１は、下の土手部２８における左右方向の中央側が上述の筒状部１０の下側壁１３の先端に連続している。また、保持部１１は、上の土手部２６における左右方向の中央側が接眼壁１９側に延長されて、上側壁１２の先端側とオーバーラップする接続部３０を構成している。この接続部３０における接眼壁１９側の左右両端には、下方に向けて折曲されて連結部３１，３２を構成している。これら連結部３１，３２の裏面には、図７に示すように、面ファスナの一方側３３，３５が取り付けられている。一方、左側壁１４及び右側壁１５における、連結部３１，３２に対応する位置には、面ファスナの他方側３４，３５が取り付けられている。これら連結部３１，３２を面ファスナにより左側壁１４及び右側壁１５に貼り付けることにより、筒状部１０の開口部１６に保持部１１を配置するようになっている。
【００４７】
上述の立体視機能検査具１全体は、例えば、適度に剛性のあるシート状の塩化ビニル、強化プラスチック等を、接着代を設けた所定の形状の展開図に切り抜き、これを折曲したり、組み合わせたり、接続したりすることで構成することができる。したがって、簡単かつ軽量に構成することができる。なお、製造方法としてはこれに限定されるものではなく、複数のパーツを組み合わせるようにしてもよい。
【００４８】
図２，図４に示すように、筒状部１０には、スタンド３８が取り付けられている。筒状部１０の下側壁１３の前後方向のほぼ中央には、左右方向の回転中心を有するヒンジ３７が固定されており、このヒンジには、長板状のスタンド３８が取り付けられている。立体視機能検査具１の使用時には、図２に示すように、ヒンジ３７を中心としてスタンド３８を矢印方向に開き、筒状部１０の先端側（図２中の左端側）の下端と、スタンド３８の先端（図２中の右端）とを机上等の載置面上に載せるようにして、立体視機能検査具１を接眼壁１９側が上方に位置するように傾斜させる。そして、スタンド３８の開く角度を調整することにより、被験者の両眼の位置が、接眼壁１９の覗き孔２０，２１と一致するように調整する。
【００４９】
図１１に示すように、上述の画像表示装置２は、プログラム４０（コンピュータプログラム）が格納された記憶手段４１と、入力手段としての操作ボタン４，５（操作部）と、出力手段としてのディスプレイと、これらを制御する制御手段４２とを備えている。プログラム４０には、図９，図１０に示すような画面をディスプレイ３上に表示させるための手順が記載されており、被験者あるいは検査者が操作ボタン４，５を操作することにより、制御手段４２により、順次、プログラムが実行され、ディスプレイ３上に検査画像Ｎ１〜Ｎ４等が表示されるようになっている。
【００５０】
以下の説明では、ディスプレイ３の１ピクセルが、例えば、０．０１９８ｃｍであるものとして説明を行う。本実施形態では、保持部１１に保持された状態の画像表示装置２のディスプレイ３から接眼壁１９までの距離が４０ｃｍ、したがって、ディスプレイ３から被験者の眼の節点までの距離は、４０．７ｃｍ程度となるので、被験者が１ピクセルを見たときの視差（視角）をθとすると、
ｔａｎθ＝０．０１９８／４０．７≒０．０００４８６
となり、
θ≒１００秒となる。
【００５１】
つまり、１ピクセルが視差の１００秒に相当する。そして、ディスプレイ３は、１ピクセル単位で検査画像を表現することができる。言い換えると、検査画像を１ピクセル単位、つまり１００秒単位で変化させることができる。これは、本実施形態の構成によると、視差１００秒まで評価できるということになる。本実施形態では、１ピクセルが、立体視力の測定単位（１００秒）の整数倍（１倍）に対応するようになっている。つまり、１ピクセルが測定単位の整数倍となるように構成することにより、ディスプレイ３上の検査画像と、視差との関係を整数倍の簡単な物とすることができる。例えば、１ピクセルが上述の半分の値の場合は、５０秒を測定単位とすることができる。
【００５２】
図９に、ディスプレイ３上に表示される検査画像Ｎ１〜Ｎ４の一例を示す。ディスプレイ３は、隔壁２３によって左右に分割されて、左画面３Ｌと右画面３Ｒとなっている。そして、左画面３Ｌと右画面３Ｒとには、１，２，３，４の数字が内側に記載された４つの円形の検査画像Ｎ１，Ｎ２，Ｎ３，Ｎ４が表示されている。左画面３Ｌ及び右画面３Ｒにおけるそれぞれの４つの検査画像Ｎ１〜Ｎ４の相対位置関係は、同じに設定される。さらに、左画面３Ｌ及び右画面３Ｒの検査画像Ｎ１〜Ｎ４全体の、隔壁２３からの距離は同一となるように設定されている。左画面３Ｌの左下、及び右画面３Ｒの右下には、それぞれこれらの検査画像Ｎ１〜Ｎ４が、百秒単位で何百秒の視差を検査するものであるかを示す数字である検査レベルＡが表示されている。図９の例では、１００秒の視差を検査するためのものであることを示す数字「０１００」が表示されている。これらの検査レベルＡは、被験者においては、左画面３Ｌの数字Ａは左眼で、また右画面３Ｒの検査レベルＡは右眼で見えるようになっている。一方、検査者は、上述の筒状部１０の外側から、左側壁１４の窓部１７及び右側壁１５の窓部１８を介して視認できるようになっている。
【００５３】
図９の例では、例えば、検査画像Ｎ１〜Ｎ３は、左画面３Ｌ及び右画面３Ｒにおいてそれぞれまったく等しいものであり、検査画像Ｎ４のみが視差１００秒に相当する１ピクセルだけずらして表示されているものとする。すなわち、被験者が左画面３Ｌの検査画像Ｎ１〜Ｎ４と右画面３Ｒの検査画像Ｎ１〜Ｎ４とを融像させたときに（図９中の点線で図示）、検査画像Ｎ４のみが、視差１００秒に相当する分だけ前方に浮き上がって立体的に見える。これが立体的に見えれば、被嵌者は１００秒の視差を認識できる立体視力を有するということになり、立体的に見えない場合には、１００秒の視差を認識できる立体視力を有していないということになる。
【００５４】
同様にして、例えば、１００秒，２００秒，……，２０００秒の視差をそれぞれ検査するための検査画像Ｎ１〜Ｎ４を２０段階分準備する。それぞれの段階の検査画像Ｎ１〜Ｎ４においては、上述と同様に、いずれか１つの検査画像のみが、それぞれの段階の秒数だけずらして表示されている。そして、被験者がその段階の秒数の立体視力を有している場合には、段階が上がるほど、検査画像が前方の大きく浮き出て見えるようになっている。さらにそれぞれの段階の左画面３Ｌ及び右画面３Ｒには、その画面がどの段階の検査レベルを検査するものであるかを示す検査レベルＡが表示されている。
【００５５】
検査に際しては、被験者が立体視機能検査具１の覗き窓から覗いた状態で、被験者あるいは検査者が画像表示装置２の操作ボタン４，５を操作して、上述の２０段階の表示を次々と切り換えていく。そして、それぞれの段階において、検査画像Ｎ１〜Ｎ４のうちのどの検査画像が浮き出て見えるかを、被験者に言い当ててもらう。このとき検査者は、その画像が、どの段階の検査画像Ｎ１〜Ｎ４を表示しているかを、窓部１７，１８を介して検査レベルＡを視認することで確認することができる。
【００５６】
以上の検査を繰り返すことで、被験者が検査画像が浮き上がって見ることができる、視差が最低の画面を特定することができ、その画面の視差が、その被験者の立体視力ということになる。
【００５７】
ここで、上述の左画面３Ｌに表示された検査レベルＡと右画面３Ｒに表示された検査レベルＡとのうち、いずれがはっきり見えるかを被験者に確認してもらうことで、左右片方の眼が見えにくい等の眼位異常の検査を行うことも可能である。
【００５８】
以上では、各画面において、検査画像Ｎ１〜Ｎ４のうちのいずれか１つのものが浮き出て見えるように構成したが、これに代えて、２つ以上のものが浮き出るようにして、被験者に一番浮き出ているものや、浮き出る程度が大きい順に言い当ててもらうようにしてもよい。
【００５９】
また、図１０に示すように、年少者用に、検査画像Ｃ１〜Ｃ４がキャラクタによって構成されているものを使用するようにしてもよい。
【００６０】
上述の立体視力は、訓練によってある程度向上させることが可能である。したがって、本実施形態に係る立体視機能検査装置を、立体視力を高めるための訓練に使用することも可能である。
【００６１】
さらに、本実施の形態に係る立体視機能検査装置を、斜視検査、斜位検査などの眼位検査に使用することも可能である。例えば、上述の左画面３Ｌと右画面３Ｒが２重に見える等の現象が現れたときには、眼位異常があると判断される。
【００６２】
また、上述では、検査画面Ｎ１〜Ｎ４を静止させた状態で検査する例を説明したが、これらを左画面３Ｌと右画面３Ｒとで同期させて、同一平面上で２次元的に移動させるようにしてもよい。例えば、左画面３Ｌの検査画像Ｎ１〜Ｎ４及び右画面３Ｒの検査画像Ｎ１〜Ｎ４を、その姿勢を維持した状態で回転運動させるようにする。この場合には、静止画像と比較して、被嵌者は、浮かび上がった検査画像を視認しやすい。
【００６３】
本実施形態に係る立体視機能検査装置は、従来例と比較して、簡単、軽量な構成で持ち運びが容易であり、かつ精度の高い立体視力の検査を行うことができる。
＜実施形態２＞
【００６４】
上述では、立体視機能検査装置のディスプレイ３から接眼壁１９までの距離が４０ｃｍの検査、いわゆる近見検査の例を説明したが、本発明に係る立体視機能検査装置は、中見検査、遠見検査にも適用することができる。例えば距離が５ｍの遠見検査の場合を例に説明する。
【００６５】
ここで、レンズのレンズ屈折力をＤ（ディオプター）、レンズの焦点距離をｆ（ｍ）とすると、
Ｄ＝１／ｆ
となる。
上述の近見検査の場合、
Ｄ＝１／０．４＝＋２．５
となる。
一方、５ｍの遠見検査の場合、
Ｄ＝１／５＝＋０．２
となる。
【００６６】
これらは、屈折力が＋２．５のＤレンズを使用して４０ｃｍの近見検査を行った場合と、屈折力が＋０．２Ｄのレンズを使用して遠見検査を行った場合とが、被験者にとっては同等であることを意味する。ここで、屈折力が＋０．２Ｄのレンズを使用した場合は、ほぼ裸眼に等しいとみなすことができる。
【００６７】
したがって、本発明に係る立体視機能検査装置において、接眼壁１９の覗き孔２０，２１に、屈折力が＋２．５Ｄのレンズを装着することにより、裸眼で５ｍ先のものを見る遠見検査を行う場合と同等の検査を高い精度で簡単に行うことができる。この場合、接眼部１９に、遠見検査を行うために覗き孔２０，２１に配置するレンズを、着脱自在に支持する支持部（不図示）を設けるようにするとよい。
【００６８】
なお、レンズの倍率は、
（１−装用距離（ｍ）×レンズに対する物体距離（ｍ））／
（１−装用距離（ｍ）×（レンズに対する物体距離（ｍ）×レンズ屈折力（Ｄ））
で求められるので、
レンズから４０ｃｍ離れた物体の＋２.５Ｄのレンズによる像の倍率（拡大率）は、
（１−０．０１５×０．４）／（１−０．０１５（０．４＋２．５）≒１．０３９
すなわち、１．０３９倍となる。
したがって、段落「００５０」で例示した、ディスプレイ３の１ピクセルが、例えば、０．０１９８ｃｍ、保持部１１に保持された状態の画像表示装置２のディスプレイ３から接眼壁１９までの距離が４０ｃｍである場合には、レンズを通して被験者が１ピクセルを見たときの視差（視角）は、
１００秒×１．０３９＝１０４秒となる。
【００６９】
なお、以上の例では、検査画像が前方に浮き出て見える場合を例に説明したが、この逆に、引っ込んで見るようにすることも可能である。
【００７０】
また、以上の実施形態１、２では、本発明を、平行法で使用する場合の例を説明したが、本発明に係る立体視機能検査具１及び立体視機能検査装置は、これ以外に、アナグリフ方式検査用、偏光メガネ方式検査用などにも適用させることができる。前者の場合、覗き孔２０，２１の一方に例えば赤色フィルタを、また他方に青色フィルタを取り付け、さらに隔壁２３を撤去する。なお、ディスプレイ３に表示される検査画像も、アナグリフ方式検査用のものを表示するようにする。後者の偏光メガネ方式検査用の場合、接眼壁１９の覗き孔２０，２１に偏光フィルタを取り付け、隔壁２３を撤去する。なお、ディスプレイ３に表示される検査画像も、偏光メガネ方式検査用のものを表示するようにする。
【００７１】
また、上述の筒状部１０を、先端側の部分と基端側の部分とに分割して、それぞれの部分を相互に嵌まり込み可能に形成して、前記画像表示装置のディスプレイ３から接眼部１９までの距離を調整可能に構成すれば、１ピクセルが異なるディスプレイ３を有する画像表示装置に対しても簡単に対応することができる。
【図面の簡単な説明】
【００７２】
【図１】立体視機能検査具を、基端側の左斜め上方から見た斜視図である。
【図２】立体視機能検査具の左側面図である。
【図３】立体視機能検査具の上面図である。
【図４】立体視機能検査具の下面図である。
【図５】立体視機能検査具を先端側から見た図である。
【図６】立体視機能検査具を基端側から見た図である。
【図７】保持部を展開した状態を示す斜視図である。
【図８】画像表示装置の構成を説明する正面図である。
【図９】ディスプレイ上の検査画像の一例を説明する図である。
【図１０】ディスプレイ上の検査画像の他の例を説明する図である。
【図１１】画像表示装置の構成を説明するブロック図である。
【符号の説明】
【００７３】
１          立体視機能検査具
２          画像表示装置
３          ディスプレイ
４，５      操作ボタン（操作部）
１０        筒状部
１１        保持部
１６        開口部
１７，１８  窓部
１９        接眼壁（接眼部）
２０，２１  覗き孔
２２        切欠（切欠部）
２３        隔壁
３８        スタンド
Ａ          検査レベル
Ｃ１〜Ｃ４，Ｎ１〜Ｎ４
検査画像
【図１】
2008086657.tif 000003
【図２】
2008086657.tif 000004
【図３】
2008086657.tif 000005
【図４】
2008086657.tif 000006
【図５】
2008086657.tif 000007
【図６】
2008086657.tif 000008
【図７】
2008086657.tif 000009
【図８】
2008086657.tif 000010
【図９】
2008086657.tif 000011
【図１０】
2008086657.tif 000012
【図１１】
2008086657.tif 000013